(57)【要約】【課題】濾材の交換を容易にする一方で、軽量、且つ、高剛性の再（繰り返し）使用可能なフィルタ枠を提供すること、更には、取扱性の良い低コストのフィルタを提供する。【解決手段】濾材の外周の４辺を溝部を備える枠部材により囲繞するフィルタ枠であって、前記フィルタ枠は、前記フィルタ枠の一辺となる蓋枠部材と、残りの３辺となるようにコ字状に一体形成された枠部材の開放辺の正面側と背面側にそれぞれ板状部材を横設した受枠部材とから構成され、前記蓋枠部材と前記板状部材にそれぞれ係合手段を設け、前記蓋枠部材と前記受枠部材とを前記係合手段により固定することを特徴とする。【選択図】  図１
2005069510.tif 000002
【特許請求の範囲】
【請求項１】
濾材の外周の４辺を溝部を備える枠部材により囲繞するフィルタ枠であって、前記フィルタ枠は、前記フィルタ枠の一辺となる蓋枠部材と、残りの３辺となるようにコ字状に一体形成された枠部材の開放辺の正面側と背面側にそれぞれ板状部材を横設した受枠部材とから構成され、前記蓋枠部材と前記板状部材にそれぞれ係合手段を設け、前記蓋枠部材と前記受枠部材とを前記係合手段により固定することを特徴とする空気調和機用のフィルタ枠。
【請求項２】
前記板状部材の係合手段は穴乃至凹部であり、前記蓋枠部材の係合手段は溝部内壁に設けた突起であることを特徴とする空気調和用のフィルタ枠。
【請求項３】
前記フィルタ枠をステンレス製としたことを特徴とする請求項１又は２に記載の空気調和機用のフィルタ枠。
【請求項４】
請求項１乃至３のいずれかに記載の空気調和機用のフィルタ枠により、前記濾材の４辺を囲繞されることを特徴とするフィルタ。
【発明の詳細な説明】
【０００１】
【発明の属する技術分野】
本発明は、濾材の外周の４辺を囲繞する空気調和機用のフィルタ枠及びフィルタに関する。
【０００２】
【従来の技術】
従来の空気調和機に使用されるエアフィルタは、図６に示されるように、ジグザグ形状に折り畳まれた濾材２０の各辺に断面コ字状のアルミニウム製枠部材２１をそれぞれ取り付けて、濾材２０の四周を囲繞するようにして枠体を形成し、隣接する枠部材２１の端部に設けられたハトメ用の穴２２を互いに重ねて、正面及び背面からハトメ２３により固定して作製される。
【０００３】
しかしながら、前記ハトメにより固定されたフィルタ枠では、フィルタを保持するための剛性が十分ではなく、取付作業時に変形等するおそれがあり、取扱性（作業性）に問題があった。また、湿度の高い環境下では、アルミニウム製枠部材２１が腐食し、十分な耐久性が得られないという問題があった。
また、前記エアフィルタの濾材２０のみを交換して再利用しようとしても、前記ハトメ２３を外す必要があるので、濾材２０の交換が容易にできないという問題があった。また、ハトメ２３を除去しようとすると、アルミニウム製枠部材２１に設けられたハトメ用の穴２２が変形してしまい、前記変形した穴２２からアルミニウム製枠部材２１が腐食する可能性があるため、結果として、産業廃棄物として処理することになり、処分コストがかかるという問題があった。
【０００４】
【発明が解決しようとする課題】
本発明は、上記事情に鑑みてなされたもので、濾材の交換を容易にする一方で、軽量、且つ、高剛性の再（繰り返し）使用可能なフィルタ枠を提供すること、更には、取扱性の良い低コストのフィルタを提供することを目的とする。
【０００５】
【課題を解決するための手段】
上記課題を解決するために、本発明者等は鋭意検討の結果、フィルタ枠を受枠部材と蓋枠部材により構成し、互いに係合自在とすれば、ハトメを使用しないで済むという知見に基づいて、上記課題を解決すること見出した。
即ち、本発明の空気調和機用のフィルタ枠は、請求項１に記載の通り、濾材の外周の４辺を溝部を備える枠部材により囲繞するフィルタ枠であって、前記フィルタ枠は、前記フィルタ枠の一辺となる蓋枠部材と、残りの３辺となるようにコ字状に一体形成された枠部材の開放辺の正面側と背面側にそれぞれ板状部材を横設した受枠部材とから構成され、前記蓋枠部材と前記板状部材にそれぞれ係合手段を設け、前記蓋枠部材と前記受枠部材とを前記係合手段により固定することを特徴とする。
また、請求項２に記載の空気調和機のフィルタ枠は、請求項１に記載の空気調和機用のフィルタ枠において、前記板状部材の係合手段は穴乃至凹部であり、前記蓋枠部材の係合手段は溝部内壁に設けた突起であることを特徴とする。
また、請求項３に記載の空気調和機のフィルタ枠は、請求項１又は２に記載の空気調和機用のフィルタ枠において、前記フィルタ枠をステンレス製としたことを特徴とする。
また、本発明のフィルタは、請求項４に記載の通り、請求項１乃至３のいずれかに記載の空気調和機用のフィルタ枠により、前記濾材の４辺を囲繞されたことを特徴とする。
【０００６】
【発明の実施の形態】
前記の通り、本発明のフィルタ枠は、濾材の外周の４辺を溝部を備える枠部材により囲繞するものである。前記枠部材の形状は、断面コ字状等の溝部を備える形状であれば特に制限はない。また、本発明のフィルタ枠又はフィルタに使用される濾材としては、ポリプロピレン、ポリエステル、ＰＴＦＥ等から構成され、濾過効率６０〜９５％（ＪＩＳ  Ｂ９９０８形式２）程度の中性能濾材が使用される。
【０００７】
本発明では、フィルタ枠の一辺となる蓋枠部材と、残りの３辺となるようにコ字状に一体形成された枠部材の開放辺の正面側と背面側にそれぞれ板状部材を横設した受枠部材とから構成するものである。このように、２つの枠部材によりフィルタ枠を構成するとともに、受枠用部材として、コ字状に一体形成された枠部材を使用することにより、より高い剛性が得られる。尚、前記受枠用部材は、１つの帯状部材を曲折して一体となるように形成したり、或いは、３つの枠部材を溶接によって固定して一体となるように形成したりすることにより得られる。これらの中でも、断面コ字状の帯状部材をコ字状に折り曲げ、隣接する辺の前記断面コ字状の側壁同士が当接する箇所を溶接により固定することが好ましい。従来のハトメにより固定された枠部材に比べて、フィルタ枠部材の溝部の内側壁からのハトメの突出部がなくなるので濾材の交換が容易であり、しかも、剛性が高くなるからである。
【０００８】
また、本発明では、係合手段が設けられた蓋枠部材は、受枠部材の開放辺に横設された板状部材に設けられた係合手段により、受枠部材に固定される。これにより、受枠部材に、その開放辺から濾材を挿入した後、蓋枠部材を板状部材に係合して固定するだけでフィルタ枠を形成することができる。
前記係合手段としては、具体的には、蓋枠部材に係合用突起を設けて、前記板状部材に前記突起に係合することが可能な穴乃至凹部を設けるようにするか、或いは、前記係合手段の設ける対象を逆にして設ける等が挙げられるが係合できるものであれば特に制限はない。尚、板状部材の係合手段を穴乃至凹部とし、蓋枠部材の係合手段を溝部内壁に設けられた突起とすれば、フィルタ枠の通風面側の外表面への突起物の突出がなくすことができるので好ましい。また、更に、受枠部材への板状部材の固定を、受枠部材の溝部内壁に溶接によって行うようにすれば、板状部材が受枠部材の正面側及び背面側に突出することがないので、フィルタ枠を薄くすることができるので好ましい。
尚、前記フィルタ枠を構成する材料について、特に制限されるものではないが、例えば、アルミニウム、ＡＢＳ樹脂等により構成することができ、耐剛性、耐久性及び耐錆性の観点からするとステンレスにより構成することが好ましい。
【０００９】
【実施例】
次に、本発明の空気調和機用のフィルタ枠及びエアフィルタの一実施例について図面に基づいて説明する。
図１は、本実施例のフィルタ枠１により中性能濾材２を囲繞したエアフィルタを示す正面図である。図示されるように、フィルタ枠１は、蓋枠部材３と受枠部材４とを有しており、受枠部材４の正面側と背面側（図示されていない）には、蓋枠部材３の固定のために使用される板状部材５が設けられている。
【００１０】
前記受枠部材４は、図１において、フィルタ枠１の隣接する３辺、即ち、両側部４ｓと底部４ｂを構成するものであって、図２に示すように、幅１００ｍｍ・長さ１６７０ｍｍ・厚さ０．６ｍｍのステンレス製の帯状部材４’をコ字状に曲折して一体として形成される。この帯状部材４’には、フィルタ枠１としたときに、溝部を有することができるように、帯状部材４’の長手方向に沿って両側に幅１５ｍｍの耳部４ｅが設けられている。また、折り曲げ線４ｍ、４ｍの位置で隣接する耳部４ｅ同士が当接することができるように、９０°の角度で切り込み４ａがそれぞれ設けられている。
前記帯状部材４’は、耳部４ｅを折り曲げて断面コ字状の帯状部材に形成され、この断面コ字状の帯状部材を折り曲げ線４ｍで直角に折り曲げ、隣接する耳部４ｅが当接する箇所において溶接して固定することによりコ字状の枠部材が形成される。
そして、図３に示すように、幅７０ｍｍ・厚さ０．６ｍｍのステンレス製の板状部材５を、前記コ字状部材の開放辺４ｏの正面側と背面側であって、且つ、溝部の内壁に溶接により固定して受枠部材４が形成される。
尚、板状部材５の両端部近傍には、長さ４５０ｍｍ・幅７０ｍｍの蓋枠部材３に設けられた係合用突起８と係合するための穴７が設けられている。
【００１１】
前記蓋枠部材３は、長さ４５０ｍｍ・幅７０ｍｍ・厚さ０．６ｍｍのステンレス製の帯状部材の長手方向の両側部に幅１５ｍｍの耳部３ｅが設けられており、図４（ａ）に示すように、前記帯状部材４’と同様に耳部３ｅが折り曲げられて、図４（ａ）に示すように溝部が形成される。そして、前記蓋枠部材３の両端部側の溝部の内側壁、即ち、耳部３ｅの内側には、前記板状部材５の穴７と係合することができるように、長さ５ｍｍ・幅６ｍｍ・高さ１．２ｍｍの係合用の突起８が、同図（ｂ）に示すように設けられている。
【００１２】
上記受枠部材４に、図５（ａ）に示すように、開口部９から、ジグザグ形状に折り畳まれるとともに当該形状をホットメルト樹脂により固定されたガラス繊維製の中性能濾材２を挿入して、蓋枠部材３により開口部９に蓋をする。その際、前記蓋枠部材３に設けられた係合用突起８と板上部材５に設けられた係合用穴７とは、同図（ｂ）に示すように係合し、蓋枠部材３が受枠部材４に固定されて本実施例フィルタ枠及びエアフィルタが得られることになる。
【００１３】
【発明の効果】
本発明によれば、フィルタ枠を蓋枠部材と受枠部材とにより構成し、これらを互いに係合するだけで、フィルタ枠とすることができる。また、受枠部材をコ字状に一体形成することにより、変形の少ない極めて優れた剛性を有するフィルタ枠とすることができる。
また、本発明によれば、ハトメの突起が濾材に刺さって分解時に濾材の交換に支障が生じることがないので、極めて分解作業性の優れたエアフィルタとなる。更に、分解時にハトメを外すことによって生じるハトメ用の穴の変形等がないので、繰り返して使用することができる。更に、繰り返し使用を可能とした結果として、産業廃棄物を出すことなく、大幅なコスト削減が可能となる。
また、更に、フィルタ枠をステンレス製とすることにより、より高剛性で、且つ、より高耐久性の中性能フィルタとすることができる。
【図面の簡単な説明】
【図１】本発明の一実施例であるフィルタ枠及びエアフィルタを説明するための正面図
【図２】同フィルタ枠の受枠部材を構成する帯状部材を説明するための平面図
【図３】同受枠部材と板状部材とを説明するための正面図
【図４】（ａ）同フィルタ枠の蓋枠部材の正面図（ｂ）同側面図
【図５】（ａ）同エアフィルタの組立状態を説明するための斜視図（ｂ）同係合状態を説明するための拡大図
【図６】従来のフィルタ枠を説明するための正面図
【符号の説明】
１    フィルタ枠
２    中性能濾材
３    蓋枠部材
４    受枠部材
４’  帯状部材
４ａ  切り欠き部
４ｂ  底部
４ｃ  側部
４ｅ  耳部
４ｍ  折り曲げ線
４ｏ  開放辺
５    板状部材
６    溶接部
７    係合用穴
８    係合用突起
９    開口部
２０    中性能濾材
２１    フィルタ枠部材
２２    穴
２３    ハトメ
【図１】
2005069510.tif 000003
【図２】
2005069510.tif 000004
【図３】
2005069510.tif 000005
【図４】
2005069510.tif 000006
【図５】
2005069510.tif 000007
【図６】
2005069510.tif 000008